(57)【特許請求の範囲】
【請求項１】
所定の長さと径を有する本体部、前記本体部の長手方向両端部に設けられ、長手方向に隣接する他の単位ブロック材と組積み方向に重なって合わさり、組積み方向に貫通する柱通し穴を有する接合部、及び前記柱通し穴に交わり、前記本体部を短手方向に貫通する第１外栓穴、及び前記接合部の接合面の短手方向に設けられ、組積み方向に重なる他の単位ブロック材の接合面に設けられた栓溝と合わさって第２外栓穴を形成する栓溝を有する、多段に積み重ねられた単位ブロック材と、
長さの延長が可能で、前記単位ブロック材の組積み位置で、前記単位ブロック材に形成された前記第１外栓穴、及び前記第２外栓穴に対し、高さ及び方向が共通する内栓穴を有する、構成材を継ぎ足して延長される継ぎ柱と、
前記組積み位置で前記第１外栓穴、及び前記第２外栓穴と前記内栓穴に通して、前記単位ブロック材と前記継ぎ柱を連結する連結栓とを備える
壁面構造体。
【請求項２】
前記継ぎ柱が複数の構成材で形成され、前記構成材同士は、前記継ぎ柱の径方向に二枚重ねにされ、かつ長手方向の位置を前記構成材の半分の長さでずらして接合可能である
請求項１記載の壁面構造体。
【請求項３】
一部の単位ブロック材を省いて開口部が形成されている
請求項１又は２記載の壁面構造体。
【請求項４】
角部に円弧形状の役物ブロック材を積み重ねて曲面を形成した
請求項１、２又は３記載の壁面構造体。
【請求項５】
当接して上下に位置する単位ブロック材が、長手方向に１／２の長さでずらして組積みされている
請求項１、２、３又は４記載の壁面構造体。
【請求項６】
施工箇所に、下段の単位ブロック材を、所定の長さと径を有する本体部の両端部の接合部を合わせて長手方向に並べて設置する下段設置工程と、
前記下段の単位ブロック材の前記接合部の組積み方向に貫通する柱通し穴に、継ぎ柱の構成材を入れて設置し、前記下段の単位ブロック材の前記本体部を短手方向に貫通する第１外栓穴と、前記接合部の接合面の短手方向に設けられた栓溝を前記接合部が組積み方向に重なる他の単位ブロック材の接合面に設けられた栓溝と合わせて形成された第２外栓穴と、前記継ぎ柱の内栓穴とに通すように連結栓を打ち込んで前記下段の単位ブロック材と前記継ぎ柱の最下部の構成材を固定する下段固定工程と、
前記継ぎ柱の前記構成材に他の構成材を継ぎ足して所定の長さに延長する継ぎ柱延長工程と、
前記下段の単位ブロック材に積み重ねるように、前記継ぎ柱の延長部に柱通し穴を嵌め入れて、上段の単位ブロック材を、所定の長さと径を有する本体部の両端部の接合部を合わせて長手方向に並べて設置する上段設置工程と、
前記上段の単位ブロック材の前記本体部を短手方向に貫通する第１外栓穴と、前記接合部の接合面の短手方向に設けられた栓溝を前記接合部が組積み方向に重なる他の単位ブロック材の接合面に設けられた栓溝と合わせて形成された第２外栓穴と、前記継ぎ柱の内栓穴とに通すように連結栓を打ち込んで前記上段の単位ブロック材と前記継ぎ柱の延長部を固定する上段固定工程とを備える
壁面構造体の構築方法。
【請求項７】
前記継ぎ柱が複数の構成材で形成され、前記構成材同士は、前記継ぎ柱の径方向に二枚重ねにされ、かつ長手方向の位置を前記構成材の半分の長さでずらして接合可能である
請求項６記載の壁面構造体の構築方法。
【請求項８】
所定の長さと径を有する本体部、前記本体部の長手方向両端部に設けられ、長手方向に隣接する他の単位ブロック材と組積み方向に重なって合わさり、組積み方向に貫通する柱通し穴を有する接合部、及び前記柱通し穴に交わり、前記本体部を短手方向に貫通する第１外栓穴、及び前記接合部の接合面の短手方向に設けられ、組積み方向に重なる他の単位ブロック材の接合面に設けられた栓溝と合わさって第２外栓穴を形成する栓溝を有する、多段に積み重ねられた単位ブロック材と、
長さの延長が可能で、前記単位ブロック材の組積み位置で、前記単位ブロック材に形成された前記第１外栓穴、及び前記第２外栓穴に対し、高さ及び方向が共通する内栓穴を有する、構成材を継ぎ足して延長される継ぎ柱と、
前記組積み位置で、前記第１外栓穴、及び前記第２外栓穴と前記内栓穴に通して、前記単位ブロック材と前記継ぎ柱を連結する連結栓とを備え、
一部の前記単位ブロック材を省いて開口部が形成されている
壁面構造体。
【請求項９】
所定の長さと径を有する本体部、前記本体部の長手方向両端部に設けられ、長手方向に隣接する他の単位ブロック材と組積み方向に重なって合わさり、組積み方向に貫通する柱通し穴を有する接合部、及び前記柱通し穴に交わり、前記本体部を短手方向に貫通する第１外栓穴、及び前記接合部の接合面の短手方向に設けられ、組積み方向に重なる他の単位ブロック材の接合面に設けられた栓溝と合わさって第２外栓穴を形成する栓溝を有する、多段に積み重ねられた単位ブロック材と、
長さの延長が可能で、前記単位ブロック材の組積み位置で、前記単位ブロック材に形成された前記第１外栓穴、及び前記第２外栓穴に対し、高さ及び方向が共通する内栓穴を有する、構成材を継ぎ足して延長される継ぎ柱と、
前記組積み位置で、前記第１外栓穴、及び前記第２外栓穴と前記内栓穴に通して、前記単位ブロック材と前記継ぎ柱を連結する連結栓とを備え、
角部に円弧形状の役物ブロック材を積み重ねて曲面が形成されている
壁面構造体。
【請求項１０】
所定の長さと径を有する本体部、前記本体部の長手方向両端部に設けられ、長手方向に隣接する他の単位ブロック材と組積み方向に重なって合わさり、組積み方向に貫通する柱通し穴を有する接合部、及び前記柱通し穴に交わり、前記本体部を短手方向に貫通する第１外栓穴、及び前記接合部の接合面の短手方向に設けられ、組積み方向に重なる他の単位ブロック材の接合面に設けられた栓溝と合わさって第２外栓穴を形成する栓溝を有する、多段に積み重ねられた単位ブロック材と、
長さの延長が可能で、前記単位ブロック材の組積み位置で、前記単位ブロック材に形成された前記第１外栓穴、及び前記第２外栓穴に対し、高さ及び方向が共通する内栓穴を有する、構成材を継ぎ足して延長される継ぎ柱と、
前記組積み位置で、前記第１外栓穴、及び前記第２外栓穴と前記内栓穴に通して、前記単位ブロック材と前記継ぎ柱を連結する連結栓とを備え、
当接して上下に位置する前記単位ブロック材が、長手方向に１／２の長さでずらして組積みされている
壁面構造体。
【発明の詳細な説明】
【技術分野】
【０００１】
本発明は、壁面構造体及び壁面構造体の施工方法に関するものである。詳しくは、施工完了状態での単位ブロックと継ぎ柱の固定、及び継ぎ柱の構成体同士の固定が可能で、より強固に構築することができる壁面構造体及び壁面構造体の施工方法に関する。
【背景技術】
【０００２】
全国各地の林業地では、間伐作業において大量に生じる間伐材の有効利用が旧来の課題となっている。間伐材は、その多くが小径木であるため、建材としての用途もある程度は限定されることになるが、従来から床面材料、或いは壁面材料などとしての利用は一般的である。
【０００３】
また、昨今の予測し得ない災害による被害で緊急対策として仮設住宅建築などの需要が高まっている。そのような非常時において、ボランティアなど、特別な技術を持たない一般の人でも、簡単に構築できる建物が望まれている。
【０００４】
そこで、使用する材料の形状を標準化し、かつ材料の種類を少なくすることで、より効率よく低コストで施工できる方法が種々採用されている。そのような工法の一例として、特許文献１記載の「木製単位ブロックによる小規模目構造建築物のための組積工法」がある。
【０００５】
特許文献１記載の組積工法は、組積みが可能な両端部にダボ穴を有する同形状の木製単位ブロックを積み重ね、通し穴となるダボ穴にダボを順次差し込んで継ぎ足しながら、木製単位ブロックを高さ方向に積み上げて、壁面を施工するようにしている。
【０００６】
ダボ穴にダボを順次差し込んで継ぎ足しながら施工することで、最初から長い継ぎ柱を立てる必要がなく、高い所から継ぎ柱に通しながら木製単位ブロックを落とし込む必要もないので、より安全で、かつ簡易な作業で施工できる利点がある。
【０００７】
また、差し込まれたダボは、継ぎ部が木製単位ブロック同士の接合面から上下にずらされており、木製単位ブロック同士がずれないようにすることで、木製単位ブロックに作用する水平方向の力に対しても耐力を有するようになっている。
【先行技術文献】
【特許文献】
【０００８】
【特許文献１】実開平３−３３１０７号公報
【発明の概要】
【発明が解決しようとする課題】
【０００９】
しかしながら、特許文献１記載の組積工法には、次のような課題があった。
すなわち、木製単位ブロックを積み重ねて通し穴となったダボ穴に差し込まれるダボ同士は、継ぎ部では当たっているだけで、上下方向（長手方向）に接続されない構造となっている。
【００１０】
このため、木製単位ブロック同士をシーリングで接合したとしても、地震などにより上下の動きを含む揺れや衝撃が作用したときに、各木製単位ブロックと各ダボが上下に離れてしまうことが想定される。これにより、ダボが破壊されるなどして、壁面構造体が壊れてしまう可能性が高い。
【００１１】
本発明は、以上の点を鑑みて創案されたものであり、単位ブロック材を積み重ねて、それにより形成される通し穴に継ぎ柱の構成材（特許文献１においてダボに相当）を順次差し込んで継ぎ足しながら施工する壁面構造体において、施工完了状態での単位ブロック材と継ぎ柱の固定、及び継ぎ柱の一体化を可能として、より強固に構築することができる壁面構造体及び壁面構造体の施工方法を提供することを目的とするものである。
【課題を解決するための手段】
【００１２】
（１）上記の目的を達成するために本発明の壁面構造体は、所定の長さと径を有する本体部、前記本体部の長手方向両端部に設けられ、長手方向に隣接する他の単位ブロック材と組積み方向に重なって合わさり、組積み方向に貫通する柱通し穴を有する接合部、及び前記柱通し穴に交わり、前記接合部を短手方向に貫通する外栓穴を有する、多段に積み重ねられた単位ブロック材と、長さの延長が可能で、前記単位ブロック材と前記継ぎ柱の組積み位置で、前記単位ブロック材の外栓穴に対し、高さ及び方向が共通する内栓穴を有する継ぎ柱と、前記組積み位置で前記外栓穴と前記内栓穴に通して、前記単位ブロック材と前記継ぎ柱を連結する連結栓とを備える。
【００１３】
壁面構造体は、単位ブロック材を水平方向及び上下方向に組積みすることにより、壁をつくることができる。単位ブロック材は、組積みをするときに、接合部同士が重なって合わさり、各柱通し穴が連通する。これにより、柱通し穴に継ぎ柱を通すことができるようになる。
【００１４】
また、単位ブロック材の外栓穴は柱通し穴に交わるので、組積みの際に、柱通し穴に通されている継ぎ柱の内栓穴を外栓穴に合わせることで、外栓穴と内栓穴を貫通して連結栓を通すことができる。これにより、壁面構造体は、単位ブロック材と継ぎ柱を連結して一体に固定されており、同時に継ぎ柱の一体構造も維持されているので、充分な強度で構築できる。
【００１５】
継ぎ柱は、長さの延長が可能であるので、単位ブロックが積み重ねられて高くなるのに伴って、その高さに適合する高さに、順次延長することができる。これにより、単位ブロック材の柱通し穴を継ぎ柱に嵌め入れるために、必要以上に高い所から単位ブロック材を落とし込む必要がなく、安全かつ簡易な作業で施工できる。
【００１６】
（２）本発明の壁面構造体は、前記継ぎ柱が複数の構成材で形成され、前記構成材同士は、前記継ぎ柱の径方向に二枚重ねにされ、かつ長手方向の位置を前記構成材の半分の長さでずらして接合可能である構成とすることもできる。
【００１７】
この場合は、継ぎ柱を積み重ねられる単位ブロック材の高さに適合する高さに順次延長する際、構成材をその半分の長さでずらしながら、径方向に二枚重ねにして継ぎ足す。また、継ぎ足した片側の構成体の上半分は、組積みの途中で最上部となっている単位ブロック材の上面から突き出るようにする。
【００１８】
そして、単位ブロック材の柱通し穴の中にある二枚重ねになった構成材の連通する内栓穴に、単位ブロック材の外栓穴から連結栓を通すことにより、単位ブロック材と継ぎ柱を連結して固定できる。
【００１９】
（３）本発明の壁面構造体は、一部の単位ブロック材を省いて開口部が形成されている構成とすることもできる。
【００２０】
この場合は、壁面構造体で箱状の建物を構築した場合など、通気口や窓として利用することができるので、建物としてのバリエーションを拡げることができ、デザインの自由度が高まる。
【００２１】
（４）本発明の壁面構造体は、角部に円弧形状の役物ブロック材を積み重ねて曲面を形成した構成とすることもできる。
【００２２】
この場合は、壁面構造体で箱状の建物を構築した場合など、柔らかな曲面をつくることができ、その曲面の組み合わせを様々に行うことで、建物としてのバリエーションを拡げることができ、デザインの自由度が高まる。
【００２３】
（５）本発明の壁面構造体は、当接して上下に位置する単位ブロック材が、長手方向に１／２の長さでずらして組積みされている構成としてもよい。
【００２４】
この場合は、接合部が、単位ブロック材の長手方向の同じ位置で整然と並んでいるデザインと比較して、柔らかで自由な印象を与えるデザインとすることができる。
【００２５】
（６）上記の目的を達成するために本発明の壁面構造体の構築方法は、施工箇所に、下段の単位ブロック材を、接合部を合わせて長手方向に並べて設置する下段設置工程と、下段の単位ブロック材の接合部の柱通し穴に、継ぎ柱の最下部の構成材を入れて設置し、前記下段の単位ブロック材の外栓穴と前記継ぎ柱の内栓穴に通すように連結栓を打ち込んで前記下段の単位ブロック材と前記継ぎ柱の最下部の構成材を固定する下段固定工程と、前記継ぎ柱の最下部の構成材に他の構成材を継ぎ足して所定の長さに延長する継ぎ柱延長工程と、前記下段の単位ブロック材に積み重ねるように、前記継ぎ柱の延長部に柱通し穴を嵌め入れて、上段の単位ブロック材を、接合部を合わせて長手方向に並べて設置する上段設置工程と、前記上段の単位ブロック材の外栓穴と前記継ぎ柱の内栓穴に通すように連結栓を打ち込んで前記上段の単位ブロック材と前記継ぎ柱の延長部を固定する上段固定工程とを備える。
【００２６】
壁面構造体の構築方法は、下段設置工程により、壁面構造体のベースとなる下段の単位ブロック材を、その長手方向に並べて敷設することができる。下段固定工程で下段の単位ブロック材の接合部の柱通し穴に、継ぎ柱の最下部の構成材を入れて設置することで、継ぎ柱のベースをつくることができる。
【００２７】
また、下段の単位ブロック材の外栓穴と継ぎ柱の内栓穴に通すように連結栓を打ち込んで、下段の単位ブロック材と継ぎ柱の最下部の構成材を固定することができ、これにより継ぎ柱のベースが単位ブロックに強固に固定される。
【００２８】
次に、継ぎ柱延長工程によって、継ぎ柱の最下部の構成材に他の構成材を継ぎ足して所定の長さに延長することができる。構成材の継ぎ足しによって、継ぎ柱は長さを延長しても、連結栓によって一体化できる。
【００２９】
上段設置工程により、壁面構造体のベースとなる下段の単位ブロック材の上に、上段の単位ブロック材を、その長手方向に並べて敷設することができる。また、上段固定工程によって、上段の単位ブロック材の外栓穴と継ぎ柱の内栓穴に通すように連結栓を打ち込んで上段の単位ブロック材と継ぎ柱の延長部を固定することができる。
【００３０】
そして、上記各工程を繰り返すことにより、壁面構造体を構築することができる。このようにして構築される壁面構造体は、単位ブロック材と継ぎ柱を連結して一体に固定されており、同時に継ぎ柱の一体構造も維持されるので、充分な強度で構築できる。
【００３１】
（７）本発明の壁面構造体の構築方法は、前記継ぎ柱が複数の構成材で形成され、前記構成材同士は、前記継ぎ柱の径方向に二枚重ねにされ、かつ長手方向の位置を前記構成材の半分の長さでずらして接合可能である構成とすることもできる。
【００３２】
この場合は、継ぎ柱を積み重ねられる単位ブロック材の高さに適合する高さに順次延長する際、構成材をその半分の長さでずらしながら、径方向に二枚重ねにして継ぎ足す。また、継ぎ足した片側の構成体の上半分は、組積みの途中で最上部となっている単位ブロック材の上面から突き出るようにする。
【００３３】
そして、単位ブロック材の柱通し穴の中にある二枚重ねになった構成材の連通する内栓穴に、単位ブロック材の外栓穴から連結栓を通して、単位ブロック材と継ぎ柱を連結して固定できる。
【００３４】
（８）上記の目的を達成するために本発明の壁面構造体は、所定の長さと径を有する本体部、前記本体部の長手方向両端部に設けられ、長手方向に隣接する他の単位ブロック材と組積み方向に重なって合わさり、組積み方向に貫通する柱通し穴を有する接合部、及び前記柱通し穴に交わり、前記接合部を短手方向に貫通する外栓穴を有する、多段に積み重ねられた単位ブロック材と、前記単位ブロック材の前記柱通し穴に通された組積み位置で、前記単位ブロック材の外栓穴に対し、高さ及び方向が共通する内栓穴を有する継ぎ柱と、前記組積み位置で、前記外栓穴と前記内栓穴に通して、前記単位ブロック材と前記継ぎ柱を連結する連結栓とを備え、一部の前記単位ブロック材を省いて開口部が形成されている。
【００３５】
壁面構造体は、単位ブロック材を水平方向及び上下方向に組積みすることにより、壁をつくることができる。単位ブロック材は、組積みをするときに、接合部同士が重なって合わさり、各柱通し穴が連通する。これにより、柱通し穴に継ぎ柱を通すことができるようになる。
【００３６】
また、単位ブロック材の外栓穴は柱通し穴に交わるので、組積みの際に、柱通し穴に通されている継ぎ柱の内栓穴を外栓穴に合わせることで、外栓穴と内栓穴を貫通して連結栓を通すことができる。このように、壁面構造体は、単位ブロック材と継ぎ柱を連結して一体に固定されており、継ぎ柱と共に一体となって、充分な強度で構築できる。
【００３７】
更には、壁面構造体で箱状の建物を構築した場合など、開口部を通気口や窓として利用することができるので、建物としてのバリエーションを拡げることができ、デザインの自由度が高まる。
【００３８】
（９）上記の目的を達成するために本発明の壁面構造体は、所定の長さと径を有する本体部、前記本体部の長手方向両端部に設けられ、長手方向に隣接する他の単位ブロック材と組積み方向に重なって合わさり、組積み方向に貫通する柱通し穴を有する接合部、及び前記柱通し穴に交わり、前記接合部を短手方向に貫通する外栓穴を有する、多段に積み重ねられた単位ブロック材と、前記単位ブロック材の前記柱通し穴に通された組積み位置で、前記単位ブロック材の外栓穴に対し、高さ及び方向が共通する内栓穴を有する継ぎ柱と、前記組積み位置で、前記外栓穴と前記内栓穴に通して、前記単位ブロック材と前記継ぎ柱を連結する連結栓とを備え、角部に円弧形状の単位ブロックを積み重ねて曲面が形成されている。
【００３９】
壁面構造体は、単位ブロック材を水平方向及び上下方向に組積みすることにより、壁をつくることができる。単位ブロック材は、組積みをするときに、接合部同士が重なって合わさり、各柱通し穴が連通する。これにより、柱通し穴に継ぎ柱を通すことができるようになる。
【００４０】
また、単位ブロック材の外栓穴は柱通し穴に交わるので、組積みの際に、柱通し穴に通されている継ぎ柱の内栓穴を外栓穴に合わせることで、外栓穴と内栓穴を貫通して連結栓を通すことができる。このように、壁面構造体は、単位ブロック材と継ぎ柱を連結して一体に固定されており、継ぎ柱と共に一体となって、充分な強度で構築できる。
【００４１】
更には、壁面構造体で箱状の建物を構築した場合など、柔らかな曲面をつくることができ、その曲面の組み合わせを様々に行うことで、建物としてのバリエーションを拡げることができ、デザインの自由度が高まる。
【００４２】
（１０）、上記の目的を達成するために本発明の壁面構造体は、所定の長さと径を有する本体部、前記本体部の長手方向両端部に設けられ、長手方向に隣接する他の単位ブロック材と組積み方向に重なって合わさり、組積み方向に貫通する柱通し穴を有する接合部、及び前記柱通し穴に交わり、前記接合部を短手方向に貫通する外栓穴を有する、多段に積み重ねられた単位ブロック材と、前記単位ブロック材の前記柱通し穴に通された組積み位置で、前記単位ブロック材の外栓穴に対し、高さ及び方向が共通する内栓穴を有する継ぎ柱と、前記組積み位置で、前記外栓穴と前記内栓穴に通して、前記単位ブロック材と前記継ぎ柱を連結する連結栓とを備え、当接して上下に位置する単位ブロック材が、長手方向に１／２の長さでずらして組積みされている。
【００４３】
壁面構造体は、単位ブロック材を水平方向及び上下方向に組積みすることにより、壁をつくることができる。単位ブロック材は、組積みをするときに、接合部同士が重なって合わさり、各柱通し穴が連通する。これにより、柱通し穴に継ぎ柱を通すことができるようになる。
【００４４】
また、単位ブロック材の外栓穴は柱通し穴に交わるので、組積みの際に、柱通し穴に通されている継ぎ柱の内栓穴を外栓穴に合わせることで、外栓穴と内栓穴を貫通して連結栓を通すことができる。このように、壁面構造体は、単位ブロック材と継ぎ柱を連結して一体に固定されており、継ぎ柱と共に一体となって、充分な強度で構築できる。
【００４５】
更には、当接して上下に位置する単位ブロック材が、長手方向に１／２の長さでずらして組積みされていることにより、接合部が、単位ブロック材の長手方向の同じ位置で整然と並んでいるデザインと比較して、柔らかで自由な印象を与えるデザインとすることができる。
【発明の効果】
【００４６】
本発明は、単位ブロック材を積み重ねて、それにより形成される通し穴に継ぎ柱を順次差し込んで継ぎ足しながら施工する壁面構造体において、施工完了状態での単位ブロック材と継ぎ柱の固定、及び継ぎ柱の構成体同士の固定が可能で、より強固に構築することができる壁面構造体及び壁面構造体の施工方法を提供することができる。
【図面の簡単な説明】
【００４７】
【図１】本発明に係る壁面構造体を示す分解斜視説明図である。
【図２】壁面構造体における単位ブロック材の継ぎ柱による接合構造を示す要部断面説明図である。
【図３】継ぎ柱の構造を示す分解斜視説明図である。
【図４】単位ブロック材の間に開口部を形成し組積みをして施工する壁面構造体の構造を示す説明図である。
【図５】図４の壁面構造体に使用する単位ブロック材の構造を示す説明図である。
【図６】上下段に位置する単位ブロック材を１／２の長さでずらして組積みをして施工する壁面構造体の構造を示す説明図である。
【図７】図６の壁面構造体に使用する単位ブロック材の構造を示す説明図である。
【図８】角部に円弧形状の単位ブロック材を配し組積みをして施工する壁面構造体の構造を示す説明図である。
【図９】壁面構造体の施工例を示す説明図である。
【発明を実施するための形態】
【００４８】
図１乃至図９を参照して、本発明の実施の形態を更に詳細に説明する。
なお、以下の説明では、位置や方向を表す際に、上下、左右などの用語を使用することがあるが、「上下」は図１において紙面に沿う奥側を「上」、手前側を「下」とし、「左右」は図１における左右を基準とする。
【００４９】
図１乃至図３に示す壁面構造体Ａ１は、当接して上下に位置する単位ブロック材２が、長手方向に１／２の長さでずらして組積みされており、壁面が平坦な部分と角部の曲板部分を有する構成である。図１は分解斜視説明図であるが、以下の構造の説明では、壁面構造体Ａ１を施工完了時の構造体として説明する。
【００５０】
また、上記構成部材は全て同材（本実施の形態では木材）である。木材の接合部の隙間に、例えばエポキシ樹脂系接着剤などの接着剤を注入することで、一体化を図ることができる。また、梁材など、曲げ応力が集中する横架材として使う部位は一体化させると、更なる強度が期待できる。なお、接着剤の種類は特に限定するものではなく、各種公知のものが採用できる。
【００５１】
壁面構造体Ａ１は、施工面Ｆに所定の配置で台ブロック材１が設けられている。台ブロック材１は、施工面Ｆに固定されているが、固定しないで載置型として施工することもできる。なお、一般的には、例えばコンクリート基礎築造の上に土台を施工された後に上部躯体を組上げ施工されるが、特に災害時など緊急時においては、砂利などの小石を敷詰めて三和土などで強固に固められた水平状態を保つ地盤面に土台となる台ブロック材１、或いは柱役物などを木ブロックの長さに合わせ設置する事で、壁積み上げの準備を行うこともある。
【００５２】
台ブロック材１には、上下面の中央を上下方向に貫通して円形の柱通し穴１０が形成されている。また、台ブロック材１には、後で説明する連結栓５を通す外栓穴１１が、外面と内面（図１で手前側の面と奥側の面）を貫通し、かつ柱通し穴１０に当たるように、形成されている。
【００５３】
台ブロック材１の上面には、一段目の単位ブロック材２、２ａ、及び角部には役物ブロック材３が載置されている。なお、本実施の形態では、説明の便宜上、単位ブロック材２、２ａ、及び役物ブロック材３の施工の場合で説明するが、実際の施工では、これらは建物の構築に必要なだけ、縦横方向に適宜延長されて施工される。
【００５４】
単位ブロック材２は、長手方向と直角方向の断面形状が四角形状で、単位ブロック材２ａと径（太さ）は同じであるが、本体部２０の長手方向の両端部の接合部２１を含む長さが二倍に形成されている。
【００５５】
また、単位ブロック材２、２ａは、両端部に厚みの半分の段差を設けるようにして形成された接合部２１が厚み方向（上下方向）の同じ側に設けられており、他の単位ブロック材と長手方向で組む際は、接合部２１の位置を反対にして、接合する単位ブロック材の厚みを揃えて重ねるようにする（図１、図２参照）。
【００５６】
単位ブロック材２、２ａは、各接合部２１にその厚み方向に貫通する円形の柱通し穴２２が形成されている。柱通し穴２２の内径は、後で説明する継ぎ柱４の外径とほぼ同じで、継ぎ柱４をほぼ隙間なく通すことができる形状に形成されている。
【００５７】
また、各接合部２１の段部面２１０には、単位ブロック材２、２ａの長手方向とは直角方向に栓溝２１１が柱通し穴２２に当たるように、かつ単位ブロック材２の外面と内面に通るように形成されている。
【００５８】
なお、段部面２１０には、栓溝２１１と直角方向にも栓溝２１２を設けている。栓溝２１２は、壁面構造体で角部を直角に施工する場合に使用されるものであるが、連結栓５を同じ高さで交差させることができないので、通常は栓溝２１１、２１２を同じ箇所で同時に使用することはない。
【００５９】
また、単位ブロック材２、２ａと他の単位ブロック材、又は役物ブロック材が組積みされる際には、例えば単位ブロック材同士では、段部面２１０同士と栓溝２１１同士が合わさり、連結栓５が通される第２外栓穴である外栓穴２４が形成される。
【００６０】
長い方の単位ブロック材２は、長手方向の中間にその厚み方向に貫通する円形の柱通し穴２３（図１参照）が形成され、連結栓５を通す第１外栓穴である外栓穴２５が、外面と内面を貫通し、かつ柱通し穴２３に当たるように形成されている。なお、連結栓５の太さは、各外栓穴、及び後述する各内栓穴とほぼ同径若しくは少し大きい径として、軽く叩いて収まり、摩擦で容易に外れないようにするのがより好ましい。
【００６１】
また、上記役物ブロック材３は、長手方向と直角方向の断面形状が四角形状で、単位ブロック材２と径は同じであり、円弧形状に同一平面上で湾曲した本体部３０を有している（図１、図８参照）。本体部３０は、円のほぼ１／４周の円弧を形成し、長手方向の両端部には、上記接合部２１と同様の接合部３１が形成されている。
【００６２】
接合部３１は、上記単位ブロック材２、２ａの柱通し穴２２、段部面２１０、及び栓溝２１１、２１２とそれぞれ同様の構造の柱通し穴３２、段部面３１０、及び栓溝３１１、３１２を有している。また、段部面３１０と単位ブロック材２、２ａの段部面２１０、及び栓溝３１１と単位ブロック材２、２ａの栓溝２１１が合わさり、連結栓５が通される外栓穴３４が形成される。
【００６３】
そして、図１に示すように、一段目の単位ブロック材２、２ａと役物ブロック材３を長手方向に接合して各台ブロック材１に載置し、更に一段目の上に、単位ブロック材２、２ａの長手方向に１／２の長さでずらして接合した二段目の単位ブロック材２、２ａと役物ブロック材３を載置して組積みを行う。
【００６４】
また、図１において、右端部では側部側の単位ブロック材２、２ａを正面側の単位ブロック材２、２ａと水平かつ直角に接合して、組積みをしている（図１、図２参照）。
【００６５】
なお、必要に応じて、三段目以上の単位ブロック材２、２ａと役物ブロック材３の組積み、及び長さ方向の延長を行うが、その全段及び全長において、上下段の位置関係にある単位ブロック材２、２ａでは長手方向に１／２の長さでずらして組積みをして施工する。上下方向に連通した各柱通し穴２２、３２及び各柱通し穴２３には、それぞれ継ぎ柱４が通っている（図１乃至図３参照）。
【００６６】
壁面構造体Ａ１で採用している継ぎ柱４は、図３（ａ）に示すように丸棒形状（断面形状が円形）であるが、図３（ｂ）に示しているように角棒形状（断面形状が四角形）の継ぎ柱４ａとしてもよい。この場合は、柱通し穴の内径も四角形となる。なお、図３（ｂ）に示す継ぎ柱４ａは、継ぎ柱４とほぼ同様の構造であるので、「４ａ」以外の符号は、便宜上、図３（ａ）と同じ符号を付与している。
【００６７】
継ぎ柱４は、単位ブロック材２の厚みの二倍の長さ（高さ）の基構成体４０と複数の構成体４１から構成されている。各構成体４１の形状は、単位ブロック材２の厚みの二倍の長さを有する丸棒を直径線で縦割りにした形状である。
【００６８】
構成材４１には、長さ方向で端部から１／４と３／４の位置で継ぎ柱４の直径線に重なる厚み方向に貫通した、連結栓５を通す内栓穴４１０が形成されている。基構成体４０は、上記柱通し穴２２、２３にほぼ密着して収まるように形成された丸棒を、上部側の１／２の径方向の片側を上記構成体４１と同じ形状に切り欠いた形状である。
【００６９】
これにより、基構成体４０には半片部４００が形成される。基構成体４０の丸棒部分には、直径方向に貫通して内栓穴４０１が設けられ、半片部４００の長手方向で端部から１／２の位置には、連結栓５を通す内栓穴４０２が内栓穴４０１と平行に厚み方向に貫通して設けられている。
【００７０】
半片部４００には、それを基点として複数の構成体４１が平面部で二枚合わせに、かつ半分の長さ分を交互に重ねるようにして継いである。なお、基構成体４０の丸棒部分は柱通し穴２２とほぼ同径若しくは少し大きい径として、軽く叩いて収まり、摩擦で容易に外れない構造（開口部上基構成体が見える場合）とするのがより好ましい。
【００７１】
各構成材４１は、施工時に台ブロック材１から最上部の単位ブロック材２、２ａ、役物ブロック材３に丁度収まる高さになるように継ぎ足してある。なお、最上部の単位ブロック材２、２ａ、役物ブロック材３では、構成材４１の１／２の高さの構成材（図示省略）が継ぎ足されて、各柱通し穴２２、２３、３２に収められる。
【００７２】
このように、継ぎ柱４が組積みされた各単位ブロック材２、２ａ、役物ブロック材３の柱通し穴２２、２３、３２に収まると、継ぎ柱４の二枚合わせになった構成材４１の内栓穴４１０同士が連通する。また、連通した内栓穴４１０は、更に単位ブロック材２、２ａ、役物ブロック材３の外栓穴２４、２５、３４と連通する（図２参照）。
【００７３】
そして、水平方向に連通する外栓穴２４、内栓穴４１０（又は４０１）、外栓穴２４に通すように丸棒形状の連結栓５が打ち込んである。なお、連結栓５の長さは、単位ブロック材２、２ａの径（断面四角形の一辺の長さ）と同じ長さに設定されている。
【００７４】
これにより、壁面構造体Ａ１は、単位ブロック材２、２ａと継ぎ柱４を連結して一体に固定されており、継ぎ柱４も基構成材４０と各構成材４１の一体構造が維持されている。
なお、継ぎ柱４は、構成材４１を継ぎ足すことで、長さが段階的に延長できる構造であるが、延長可能とする構造ついて特に限定するものではない。また、例えばあらかじめ所定の長さに設定された柱を使用することを排除するものではない。
【００７５】
（作用）
図１乃至図３を参照して、壁面構造体Ａ１の作用を説明する。
壁面構造体Ａ１は、単位ブロック材２、２ａ、及び役物ブロック材３を水平方向及び上下方向に組積みすることにより、壁部をつくることができる。単位ブロック材２、２ａ、及び役物ブロック材３は、組積みをするときに、接合部２１又は接合部３１が重なって合わさり、各柱通し穴２２、各柱通し穴２３及び各柱通し穴３２がそれぞれ上下方向に連通する。これにより、連通した各柱通し穴２２、２３、３２に継ぎ柱４を通すことができるようになる。
【００７６】
また、単位ブロック材２、２ａ、及び役物ブロック材３の外栓穴２４、２５、及び外栓穴３４は柱通し穴２２、２３、３２に当たる（交わる）ので、組積みの際に、各柱通し穴２２、２３、３２に通されている継ぎ柱４の内栓穴４１０（又は４０１）を外栓穴２４、２５、３４に合わせることで、外栓穴２４、２５、３４と内栓穴４１０を貫通して連結栓５を通すことができる。
【００７７】
このように、壁面構造体Ａ１は、単位ブロック材２、２ａ、及び役物ブロック材３と継ぎ柱４を連結して一体に固定されており、継ぎ柱４の一体構造も維持されているので、充分な強度で構築できる。
【００７８】
また、継ぎ柱４は、構成材４１同士が継ぎ柱４の径方向に二枚重ねにされ、かつ長手方向の位置を構成材４１の半分の長さでずらして接合している。これにより、継ぎ柱４を、積み重ねられる単位ブロック材２、２ａ、及び役物ブロック材３の高さに適合する高さに順次延長する際、構成材４１をその半分の長さでずらしながら、径方向に二枚重ねにして継ぎ足すことで段階的に延長できる。
【００７９】
そして、単位ブロック材２、２ａ、及び役物ブロック材３の柱通し穴２２、２３、３２の中にある二枚重ねになった構成材４１の内栓穴４１０に、単位ブロック材２、２ａ、及び役物ブロック材３の外栓穴２４、２５、３４から連結栓５を通して、単位ブロック材２、２ａ、及び役物ブロック材３と継ぎ柱４を連結して固定できる。
【００８０】
このように、継ぎ柱４は、構造的に長さの段階的な延長が可能であるので、柱通し穴２２、２３、３２を継ぎ柱４に嵌め入れるために、必要以上に高い所から単位ブロック材２、２ａ、及び役物ブロック材３を落とし込む必要がなく、安全かつ簡易な作業で施工できる。
【００８１】
また、壁面構造体Ａ１は、角部に役物ブロック材３を組積みして平面視で円弧状の曲面を形成した構成としている。これにより、壁面構造体Ａ１で箱状の建物を構築する場合など、柔らかな曲面をつくることができ、その曲面の組み合わせを様々に行うことで、建物としてのバリエーションを拡げることができ、デザインの自由度が高まる。
【００８２】
更には、壁面構造体Ａ１は、当接して上下に位置する単位ブロック材２、２ａが、長手方向に１／２の長さでずらして組積みされているので、接合部２１が単位ブロック材２の長手方向において同じ位置で整然と並んでいるデザインと比較して、柔らかで自由な印象を与えるデザインとすることができる。また、単位ブロック材２、２ａを長手方向にずらさない施工と比較して、構造的に継ぎ柱４を通す箇所が増えるので、強度が向上する利点もある。
【００８３】
〔壁面構造体の施工方法〕
図１乃至図３を参照して、壁面構造体Ａ１の施工方法を説明する。
【００８４】
〔１〕下段設置工程
施工箇所である施工面Ｆに、所定の配置で台ブロック材１を固定する。台ブロック材１の柱通し穴１０に継ぎ柱４の基構成材４０を差し込む。これにより、台ブロック材１の外栓穴１１と基構成材４０の内栓穴４０１が連通する。また、基構成材４０の半片部４００は、台ブロック材１の上面から突出している。
【００８５】
そして、台ブロック材１の上面に、最下段の単位ブロック材２、２ａ、及び役物ブロック材３を長手方向に接合部２１、３１を合わせながら接合し、並べて載置する。このとき、各柱通し穴２２、各柱通し穴２３、各柱通し穴３２をそれぞれ基構成材４０の半片部４００に嵌め入れる。
【００８６】
〔２〕下段固定工程
最下段の単位ブロック材２、２ａ、及び役物ブロック材３の柱通し穴２２、２３、３２に、半片部４００の隣の空間（符号省略）に構成材４１を二枚重ねに差し込んで継ぎ柱４を延長する（参考：図２の最上部の連結栓５がない状態）。これにより、半片部４００の内栓穴４０２と構成体４１の下の内栓穴４１０が連通する。
【００８７】
そして、台ブロック材１の外栓穴１１と基構成材４０の内栓穴４０１を貫通し、最下段の単位ブロック材２、２ａ、及び役物ブロック材３の外栓穴２４、２５、３４と内栓穴４０２、４１０を貫通するように、連結栓５を打ち込む。これにより、最下段の単位ブロック材２、２ａ、及び役物ブロック材３と各継ぎ柱４、及び各台ブロック材１が一体となって固定される。
【００８８】
〔３〕継ぎ柱延長工程
上記下段固定工程での継ぎ柱４の延長に続けて、同様に構成材４１を継ぎ足して継ぎ柱４を延長する。これにより、構成材４１の上半分が最下段の単位ブロック材２、２ａ、及び役物ブロック材３の上面から突出する。
【００８９】
〔４〕上段設置工程
最下段の単位ブロック材２、２ａ、及び役物ブロック材３に積み重ねるように、継ぎ柱４の延長した構成材４１に各柱通し穴２２、各柱通し穴２３、各柱通し穴３２をそれぞれ嵌め入れ、上段（次段）の単位ブロック材２、２ａ、及び役物ブロック材３を、接合部２１、３１を合わせて長手方向に並べて設置する。
【００９０】
〔５〕上段固定工程
上段の単位ブロック材２、２ａ、及び役物ブロック材３の柱通し穴２２、２３、３２に、延長した構成材４１の隣の空間（符号省略）に構成材４１を二枚重ねに差し込んで継ぎ柱４を延長する。これにより、重なった構成材４１の上と下の内栓穴４１０が連通する。
【００９１】
そして、上段の単位ブロック材２、２ａ、及び役物ブロック材３の外栓穴２４、２５、３４と、重なった構成材４１の連通した内栓穴４１０を貫通し、更に外栓穴２４、２５、３４を貫通するように、連結栓５を打ち込む。これにより、上段の単位ブロック材２、２ａ、及び役物ブロック材３と各継ぎ柱４が一体となって固定される。
【００９２】
〔６〕このように各段の単位ブロック材２、２ａ、及び役物ブロック材３を組積みして施工し、更に必要に応じて、三段目以上の組積み、及び各ブロック材の長さ方向の延長を、上記と同様の方法で行うことにより、所望のデザインの建物の構築を行うことができる。
【００９３】
また、上記施工方法では、継ぎ柱４を単位ブロック材２、２ａ、及び役物ブロック材３の高さに合わせて段階的に延長して施工したが、これに限定するものではなく、例えば継ぎ柱４をあらかじめ、ある程度の長さに形成しておき、各段の単位ブロック材２、２ａ、及び役物ブロック材３をまとめて組積みして作業を効率化する施工を行うこともできる。
【００９４】
図４、図５を参照する。
本発明の他の実施形態である壁面構造体Ａ２は、単位ブロック材６、継ぎ柱７及び連結栓５を使用し組積みされ、施工されている。
【００９５】
壁面構造体Ａ２で使用されている単位ブロック材６は、長手方向と直角方向の断面形状が四角形状の本体部６０を有し、本体部６０の長手方向の両端部には、接合部６１が厚みの半分の段差を設けるようにして、厚み方向（上下方向）の反対側に設けられている（図５参照）。
【００９６】
各接合部６１には、厚み方向に貫通して四角形の柱通し穴６２が設けてある。接合部６１の段部面６１０には、長手方向と直角に柱通し穴６２に当たるように栓溝６１１が形成されている。なお、段部面６１０に栓溝６１１と直角な栓溝（図示省略）を設けることもできる。
【００９７】
また、継ぎ柱７は、長手方向に一定の間隔で設けられた所定の厚さのスペーサ部７０を有し、それらが組積みする際に連結栓５を介し柱通し穴６２内部で固定される構成材７１でつながれる構造である。なお、構成材７１は、長手方向に継ぎ足すことで長さを段階的に延長できる構成である。
【００９８】
そして、壁面構造体Ａ２は、単位ブロック材６、継ぎ柱７及び連結栓５を使用し、上記上下段の単位ブロック材６を長手方向へずらさずに、壁面構造体Ａ１とほぼ同様に組積みして施工されている（図４参照）。
【００９９】
この際、継ぎ柱７のスペーサ部７０を上下に挟む単位ブロック材６の間には開口部６９が設けられる。なお、最下部のスペーサ部７０が載置される施工面Ｆと単位ブロック材６の間も同様に開口する。
【０１００】
これによれば、壁面構造体Ａ２で箱状の建物を構築した場合など、開口部６９を通気口や窓として利用することができるので、建物としてのバリエーションを拡げることができ、デザインの自由度が高まる。
【０１０１】
なお、図９（ａ）に示す壁面構造体Ａ２は、図４に示す壁面構造体Ａ２（同じ開口部を有する形態であるので、便宜上、同じ符号とする）より高く大きな形状を有し、単位ブロック材６の配置は、上下段で長手方向に１／２の長さでずらして組積みをして施工したものである。
【０１０２】
図６、図７を参照して、本発明の他の実施形態である壁面構造体Ａ４について説明する。
本発明の他の実施形態である壁面構造体Ａ４は、単位ブロック材８、８ａ、継ぎ柱９及び連結栓５を使用し組積みされ、施工されている。
【０１０３】
壁面構造体Ａ４で使用されている単位ブロック材８は、長手方向と直角方向の断面形状が四角形状の本体部８０を有し、本体部８０の長手方向の両端部には、接合部８１が厚みの半分の段差を設けるようにして、厚み方向（上下方向）の反対側に設けられている（図７参照）。なお、単位ブロック材８の長さは、単位ブロック材８ａの二倍に形成されている。
【０１０４】
各接合部８１には、厚み方向に貫通して四角形の柱通し穴８２が設けてある。接合部８１の段部面８１０には、長手方向と直角に柱通し穴８２に当たるように栓溝８１１が形成されている。なお、段部面８１０に栓溝８１１と直角な栓溝（図示省略）を設けることもできる。また、単位ブロック材８の長手方向の中間には柱通し穴８２と平行な柱通し穴８３が上下に貫通して設けてある。
【０１０５】
また、継ぎ柱９は、基端部に設けられた所定の厚さのスペーサ部９０を有し、組積みする際に連結栓５を介し柱通し穴８２、８３内部で固定される複数の構成材９１で延長される構造である。
【０１０６】
そして、壁面構造体Ａ４は、単位ブロック材８、継ぎ柱９及び連結栓５を使用し、上記上下段の単位ブロック材８を長手方向へ１／２の長さでずらして、壁面構造体Ａ１とほぼ同様に組積みして施工されている（図６参照）。この際、下部のスペーサ部９０が載置される施工面Ｆと単位ブロック材８の間に開口部（符号省略）が設けられる。
【０１０７】
これによれば、壁面構造体Ａ４で箱状の建物を構築した場合など、開口部を通気口として利用することができる。また、当接して上下に位置する単位ブロック材８、８ａが、長手方向に１／２の長さでずらして組積みされているので、接合部８１が同じ位置で整然と並んでいるデザインと比較して、柔らかで自由な印象を与えるデザインとすることができる。
【０１０８】
また、単位ブロック材８、８ａを長手方向にずらさない施工（図４に示す壁面構造体Ａ２参照）と比較して、構造的に継ぎ柱９を通す箇所が増えるので、強度が向上する利点もある。更には、建物としてのバリエーションを拡げることができ、デザインの自由度が高まる。
【０１０９】
図８、図９（ｂ）を参照して、本発明の他の実施形態である壁面構造体Ａ３について説明する。
壁面構造体Ａ３は、上記壁面構造体Ａ１と同様に、単位ブロック材２、２ａ、役物ブロック材３、継ぎ柱４、及び連結栓５を使用し、組積みして施工したものである。壁面構造体Ａ３は、壁面構造体Ａ１の単位ブロック材２、２ａ、及び役物ブロック材３を更に多段に、かつ単位ブロック材２、２ａを長手方向に延長して接合し、役物ブロック材３と側部の単位ブロック材２は、配置が左右逆になった構造である。また、壁面構造体Ａ３の作用については、壁面構造体Ａ１と同様であるので説明を省略する。
【０１１０】
なお、今日まで、建設業界やものづくり産業は、新たに物を作り、物を消費することで成り立ってきており、人類には、これからの社会に対し持続可能で環境に配慮した産業の在り方、ライフスタイルの在り方への方向転換が求められている。
本発明は、これまでに造られた構造物などから生じる産業廃棄物である廃材に更に細かい加工を施し、再利用を促しながらユニット材を形成する技術を示している。
【０１１１】
それにより、新たな構造物を、一部の特殊な技術者ではなく、一般の生活者の手により蘇らせるための、廃材リサイクルを促す技術であると共に、新規木材に限らず、廃棄物からなるリサイクル材を含む材料を加工し、組立てるための方法を示したものである。また、間伐材などを有効利用して、延いては森林資源を守るためのユニット材の形成を意図しており、これからのサスティナブル社会を推進することができるものである。
【０１１２】
本明細書及び特許請求の範囲で使用している用語と表現は、あくまでも説明上のものであって、なんら限定的なものではなく、本明細書及び特許請求の範囲に記述された特徴およびその一部と等価の用語や表現を除外する意図はない。また、本発明の技術思想の範囲内で、種々の変形態様が可能であるということは言うまでもない。
【符号の説明】
【０１１３】
Ａ１  壁面構造体
Ｆ  施工面
１  台ブロック材
１０  柱通し穴
１１  外栓穴
２  単位ブロック材
２０  本体部
２１  接合部
２１０  段部面
２１１  栓溝
２１２  栓溝
２２  柱通し穴
２３  柱通し穴
２４  外栓穴
２５  外栓穴
３  役物ブロック材
３０  本体部
３１  接合部
３１０  段部面
３１１、３１２  栓溝
３２  柱通し穴
３４  外栓穴
４  継ぎ柱
４ａ  継ぎ柱
４０  基構成体
４００  半片部
４０１  内栓穴
４０２  内栓穴
４１  構成体
４１０  内栓穴
５  連結栓
Ａ２  壁面構造体
６  単位ブロック材
６０  本体部
６１  接合部
６１０  段部面
６１１  栓溝
６２  柱通し穴
６９  開口部
７  継ぎ柱
７０  スペーサ部
７１  構成材
Ａ３  壁面構造体
Ａ４  壁面構造体
８、８ａ  単位ブロック材
８０  本体部
８１  接合部
８１０  段部面
８１１  栓溝
８２  柱通し穴
８３  柱通し穴
９  継ぎ柱
９０  スペーサ部
９１  構成材
【要約】
【課題】単位ブロック材を積み重ねて通し穴に継ぎ柱の構成材を延長しながら施工する壁面構造体において、単位ブロック材と継ぎ柱の固定、及び継ぎ柱の一体化を可能として、より強固に構築することができる壁面構造体を提供する。
【解決手段】壁面構造体Ａ１は、本体部２０、本体部２０の長手方向両端部に設けられ、長手方向に隣接する他の単位ブロック材と組積み方向に重なって合わさり、組積み方向に貫通する柱通し穴２２を有する接合部２１、及び柱通し穴２２に交わり、接合部２１を短手方向に貫通する外栓穴２４を有する、多段に積み重ねられた単位ブロック材２と、長さの延長が可能で、単位ブロック材２と継ぎ柱の組積み位置で、単位ブロック材２の外栓穴２４に対し、高さ及び方向が共通する内栓穴４１０を有する継ぎ柱４と、組積み位置で外栓穴２４と内栓穴４１０に通して、単位ブロック材２と継ぎ柱４を連結する連結栓５とを備える。
【選択図】図１【図１】
0006832597.tif 000002
【図２】
0006832597.tif 000003
【図３】
0006832597.tif 000004
【図４】
0006832597.tif 000005
【図５】
0006832597.tif 000006
【図６】
0006832597.tif 000007
【図７】
0006832597.tif 000008
【図８】
0006832597.tif 000009
【図９】
0006832597.tif 000010